(57)【要約】【課題】  持ち運び時においてはコンパクトな状態でありながら、釣り操作時には、竿の全長を変化させて、対象魚の変更や釣り場の状況に応じた対応を迅速に行うことができる釣り竿を提供する。【解決手段】  インロー継式釣り竿において、元竿Ｂを、リールシート３を備えた元竿本体４とその元竿本体４より竿先側に位置する補助竿体２とで構成する。補助竿体２と元竿本体４とを伸長状態と収縮状態とに切換可能に構成する。伸長状態と収納状態とのいずれの状態においてもその状態を保持する機構を備え、補助竿体２と元竿本体４を収納した元竿Ｂの全長と、穂先竿１の全長を同一または略同一の長さに設定している。【選択図】        図１
2008194005.tif 000002
【特許請求の範囲】
【請求項１】
穂先竿、及び、リールシートを備えた元竿を含む複数の竿体を並継接続部またはインロー継接続部で接続分離自在に構成するとともに、前記複数の竿体の内の少なくとも一つの竿体を、竿体本体と補助竿体とで構成し、前記竿体本体と前記補助竿体とを互いに離間する方向に引き伸ばす伸長状態と互いに重合する方向に収縮する収縮状態とに切換可能に構成し、前記伸長状態と前記収縮状態とのいずれの状態においてもその状態を保持する機構を、前記リールシートより竿先側に設け、前記竿体本体と前記補助竿体とを収縮状態に切換えた状態で前記各竿体の全長を同一または略同一の長さに設定してある釣り竿。
【発明の詳細な説明】
【技術分野】
【０００１】
本発明は、元竿を含む複数本の竿体を並継接続部またはインロー継接続部で接続分離自在に構成する釣り竿に関する。
【背景技術】
【０００２】
この種の釣り竿として、穂先竿、二本の中竿、元竿をインロー継接続部で分離自在に構成し、各竿体の長さが同一かまたは略同一の長さに揃えられたものがあった（特許文献１参照）。
この釣り竿においては、二番竿を直接元竿に接続可能に構成して、穂先竿、二番竿、元竿を夫々連結したものと、穂先竿、二番竿、三番竿、元竿を連結したものとに切換えることが可能に構成してあった。
【０００３】
【特許文献１】特開２００６−７５０１８号公報（段落番号〔００２４〕〔００２５〕、及び、図１）
【発明の開示】
【発明が解決しようとする課題】
【０００４】
上記のような構成を採ることによって、インロー継形態を採る釣り竿であっても、釣り竿として長さを違えて使用することができ、釣り場の状況や釣上げる対象魚の種類に応じた選択を可能としている点で状況対応性が高い。
しかし、釣り場において対象魚を変更する為に、三番竿を取り外して、穂先竿、二番竿、元竿を夫々連結して使用する場合には、取り外した三番竿を少し離れた位置に置いて有る竿ケース等に仕舞う為に、釣り場を移動する等の釣り操作を中断することが必要になり、迅速な対応に欠ける面があった。
【０００５】
本発明の目的は、持ち運び時においてはコンパクトな状態でありながら、釣り操作時には、竿の全長を変化させて、対象魚の変更や釣り場の状況に応じた対応を迅速に行うことができる釣り竿を提供する点にある。
【課題を解決するための手段】
【０００６】
〔構成〕
請求項１に係る発明の特徴構成は、穂先竿、及び、リールシートを備えた元竿を含む複数の竿体を並継接続部またはインロー継接続部で接続分離自在に構成するとともに、前記複数の竿体の内の少なくとも一つの竿体を、竿体本体と補助竿体とで構成し、前記竿体本体と前記補助竿体とを互いに離間する方向に引き伸ばす伸長状態と互いに重合する方向に収縮する収縮状態とに切換可能に構成し、前記伸長状態と前記収縮状態とのいずれの状態においてもその状態を保持する機構を、前記リールシートより竿先側に設け、前記竿体本体と前記補助竿体とを収縮状態に切換えた状態で前記各竿体の全長を同一または略同一の長さに設定してある点にあり、その作用効果は次の通りである。
【０００７】
〔作用〕
つまり、複数の竿体のなかの少なくとも一つの竿体を竿体本体と補助竿体とで構成することによって、前記竿体本体と前記補助竿体とを互いに重合する方向に収縮する収縮状態とに切換えた場合には、他の竿体と同一又は略同一の全長を維持でき、前記竿体本体と前記補助竿体とを互いに離間する方向に引き伸ばす伸長状態では、その竿体本体と前記補助竿体とを有する竿体としての全長を長くできる。しかも、補助竿体を竿体本体から引き出した状態、及び、収縮する状態で保持できる機構を備えているところから、その補助竿体を取り外すことなく、釣り竿としての長さを変更できる。
【０００８】
〔効果〕
上記したように、釣り竿の全長を変更できるので、対象魚や釣り場状況に対応した釣り竿長さに設定できるとともに、竿の調子を変更することができるものでありながら、補助竿体を収縮させた状態では、他の竿体と長さを揃えたものにして、竿ケース等に収納して持ち運ぶ際にコンパクトで便利である。
【発明を実施するための最良の形態】
【０００９】
〔第１実施形態〕
船竿Ａについて説明する。図１に示すように、船竿Ａは、竿体としての穂先竿１と元竿Ｂとからなり、穂先竿１と元竿Ｂとの外周面に外付け釣り糸ガイド６を装着し、元竿Ｂにリールシート３及び握り部４Ｄを取り付けて、穂先竿１と元竿Ｂとをインロー継ぎ式に接続分離自在に構成してある。
【００１０】
図１に示すように、リールシート３は、シートベース３Ａの竿尻側に固定フード３Ｂを装着し、シートベース３Ａの竿先側に可動フード３Ｃを螺着し、可動フード３Ｃを螺進移動させるナット３Ｄを設けて構成してある。
【００１１】
元竿Ｂについて説明する。図１（イ）（ロ）及び図２（イ）（ロ）に示すように、元竿Ｂは、リールシート３を備えた竿体本体としての元竿本体４と補助竿体２とで構成してあり、元竿本体４は、竿先側に竿先側膨出部４Ａと、その竿先側膨出部４Ａから竿尻側に向けて延出した竿素材４Ｂの竿尻側に竿尻側膨出部４Ｃとを設けて構成してある。
【００１２】
これに対して、補助竿体２には次ぎのような構造が施されている。図２（イ）に示すように、補助竿体２の竿尻端に雌ネジ部２ａを形成して抜止め輪体２Ｃを螺着可能に構成し、元竿本体４の竿先側膨出部４Ａが抜止め輪体２Ｃに当接して、抜止めが抑制される。
【００１３】
図２（イ）（ロ）に示すように、補助竿体２の竿尻端部における雌ネジ部２ａの形成部位より竿先側に保持リング５を挿入し補助竿体２の内周面に圧接することによって、保持リング５を装着固定する。補助竿体２の内周面で保持リング５の装着部位より竿先側に、元竿本体４の竿先側膨出部４Ａを内嵌保持する内嵌保持部２Ｄを形成してある。内嵌保持部２Ｄは特に内向きに膨出形成したものではなく、補助竿体自体の内周面径を竿先側膨出部４Ａに相当する内径に形成して構成したものである。
【００１４】
上記した構成によって、図１（ロ）及び図２（イ）に示すように、補助竿体２を竿先側に引き出した伸長状態では、元竿本体４の竿先側膨出部４Ａが保持リング５に内嵌して、補助竿体２と元竿本体４の伸長状態が保持される。その状態から更に伸長状態に切り換えようとすると、竿先側膨出部４Ａが抜止め輪体２Ｃに当接して、伸長状態が阻止される。
【００１５】
図１（ロ）及び図２（イ）に示す状態から、補助竿体２と元竿本体４とを収縮状態に切り換えると、図１（イ）及び図２（ロ）に示すように、元竿本体４の竿先側膨出部４Ａが補助竿体２の内周面に形成された内嵌保持部２Ｄに内嵌合するとともに、元竿本体４の竿尻側膨出部４Ｃが抜止め輪体２Ｃに内嵌して、補助竿体２と元竿本体４との収納状態を現出する。
このような態様によって、補助竿体２と元竿本体４との伸縮切換えを行うことができる。ここに、元竿本体４の竿先側膨出部４Ａと補助竿体２の保持リング５とで、補助竿体２と元竿本体４との伸長状態を保持する機構Ｐを構成し、元竿本体４の竿先側膨出部４Ａ及び竿尻側膨出部４Ｃと、補助竿体２の内嵌保持部２Ｄ及び抜止めリング２Ｃとで、補助竿体２と元竿本体４とを収縮状態に保持する機構Ｐを構成する。
【００１６】
インロー継構造について説明する。図３（イ）（ロ）に示すように、元竿Ｂを構成する補助竿体２の竿先端に連結用芯材２ｂを差込み固定するとともに、連結用芯材２ｂの補助竿体２の竿先端より突出した先半部を穂先竿１の竿尻端内に内嵌合して、穂先竿１と元竿Ｂとを連結状態にすることができる。
なお、連結用芯材２ｂに環状の凹溝２ｃを形成することによって、穂先竿１の内周面との嵌合面積を減少させることができ、嵌合力の調節を行うことができる。
ここに、穂先竿１の竿尻側端部の内周面における傾斜繋ぎ部１Ｃと、元竿Ｂの竿先側端部に装着された連結用芯材２ｂとで、インロー継接続部を構成する。
【００１７】
〔第２実施形態〕
ここでは、元竿本体４を補助竿体２に外嵌して収縮状態に切り換える別構造について説明する。図５（イ）（ロ）に示すように、補助竿体２の外周面における中間位置に先側膨出部２Ｅを形成するとともに、補助竿体２の竿尻側端部に元側膨出部２Ｆを形成する。一方、元竿本体４の竿先側端部に先側嵌合リング４Ｅを装着するとともに、先側嵌合リング４Ｅより竿尻側に元竿本体自体の内周面を嵌合面とする元側嵌合部４Ｆを形成してある。
【００１８】
以上のような構成によって、図５（イ）に示すように、元竿本体４を補助竿体２に被せる状態に切り換えると、元竿本体４の先側嵌合リング４Ｅが補助竿体２の先側膨出部２Ｅに外嵌合するとともに、元竿本体４の元側嵌合部４Ｆが補助竿体２の元側膨出部２Ｆに外嵌合し、補助竿体２と元竿本体４とを収縮状態に保持することができる。
図５（イ）に示す収縮状態より元竿本体４と補助竿体２とを伸長状態に切り換えると、図５（ロ）に示すように、元竿本体４の先側嵌合リング４Ｅが補助竿体２の元側膨出部２Ｆに外嵌合して、伸長状態に保持される。
【００１９】
〔別実施形態〕
（１）  穂先竿１と元竿Ｂとの並継ぎ構造について説明する。図４（イ）（ロ）に示すように、穂先竿１の竿尻側端部の外周面に、竿尻側程小径となる傾斜繋ぎ部１Ａを形成するとともに、傾斜繋ぎ部１Ａの更に竿尻側に略径変化が極僅かなストレート接続部１Ｂを形成する。一方、元竿本体４の竿先側端部の内周面に、竿先側程大径となる傾斜受止部２Ａを設けるとともに、傾斜受止部２Ａの竿尻側に略径変化が極僅かなストレート受止部２Ｂを形成する。
【００２０】
図４（ロ）に示す穂先竿１と元竿Ｂとを分離した状態から、図４（イ）に示すように、穂先竿１の竿尻側端部を元竿Ｂの竿先側端部内に挿入すると、ストレート接続部１Ｂがストレート受止部２Ｂに内嵌するとともに、傾斜繋ぎ部１Ａが傾斜受止部２Ａに内嵌して受止られて、両者の連結状態が現出する。
穂先竿１を元竿Ｂから引き出せば、分離状態を現出できる。
ここに、穂先竿１の傾斜繋ぎ部１Ａ及びストレート接続部１Ｂと、元竿Ｂの傾斜受止部２Ａ及びストレート受止部２Ｂとで、並継接続部を構成する。
【図面の簡単な説明】
【００２１】
【図１】（イ）穂先竿と元竿とを分離した状態において、元竿を収縮状態に設定した状態を示す側面図、（ロ）元竿を伸長状態に設定した状態を示す側面図
【図２】（イ）元竿における補助竿体と元竿本体とを伸長状態に設定した状態を示す縦断側面図、（ロ）元竿における補助竿体と元竿本体とを収縮状態に設定した状態を示す縦断側面図
【図３】（イ）穂先竿と元竿とをインロー継した状態を示す縦断側面図、（ロ）穂先竿と元竿とをインロー継する前の状態を示す縦断側面図
【図４】（イ）穂先竿と元竿とを並継した状態を示す縦断側面図、（ロ）穂先竿と元竿とを並継する前の状態を示す縦断側面図
【図５】補助竿体と元竿本体との伸縮構造の別実施形態を示し、（イ）補助竿体と元竿本体とを収縮状態に設定した状態を示す縦断側面図、（ロ）補助竿体と元竿本体とを伸長状態に設定した状態を示す縦断側面図縦断側面図
【符号の説明】
【００２２】
２            補助竿体
４            元竿本体
Ｂ            元竿
Ｐ          保持する機構
【図１】
2008194005.tif 000003
【図２】
2008194005.tif 000004
【図３】
2008194005.tif 000005
【図４】
2008194005.tif 000006
【図５】
2008194005.tif 000007